(57)【特許請求の範囲】
【請求項１】
全体を制御する親機制御部を有する親機と全体を制御する子機制御部を有する子機とから成り、送信電力を高電力の「高」または低電力の「低」に制御可能な前記子機と前記親機との間で無線通信を行うコードレス電話装置であって、
前記親機制御部は、子機パワー情報が「高」か「低」かを判定する子機判定手段と、親機におけるＲＳＳＩ値と第１または第２の所定値とを比較するＲＳＳＩ判定手段と、ＣＲＣに基づくエラーレートであるＣＲＣエラーレートと所定エラーレートとを比較するＣＲＣ判定手段と、子機への要求や通知を行う通知手段とを有し、前記通知手段は、子機パワー情報が「高」であると判定され、前記ＣＲＣエラーレートが所定エラーレート以下であると判定され、かつ前記ＲＳＳＩ値が前記第１の所定値以上であると判定されたときにはパワーを「低」とするように前記子機へ要求し、また、子機パワー情報が「低」であると判定され、前記ＲＳＳＩ値が前記第２の所定値以下であると判定されたときにはパワーを「高」とするように前記子機へ要求し、さらに、子機パワー情報が「低」であると判定され、前記ＲＳＳＩ値が前記第２の所定値よりも大きいと判定され、かつ前記ＣＲＣエラーレートが所定エラーレートよりも大きいと判定されたときにはパワーを「高」とするように前記子機へ要求し、
前記子機制御部は、前記親機からの要求に基づいて又は自らの判定に基づいて子機パワーを設定することを特徴とするコードレス電話装置。
【請求項２】
前記子機制御部は、子機パワー情報を判定するパワー情報判定手段と、前記子機におけるＲＳＳＩ値と第１または第２の所定値とを比較するＲＳＳＩ判定手段と、親機からのデータを判定する親機判定手段と、子機パワーを設定する設定手段とを有し、前記設定手段は、子機パワー情報が「低」であると判定され、かつ前記子機におけるＲＳＳＩ値が前記第２の所定値以下と判定されたときには子機パワーを「高」に設定し、また、子機パワー情報が「高」であると判定され、かつ前記子機におけるＲＳＳＩ値が前記第１の所定値よりも大きいと判定されたときには子機パワーを「低」に設定し、さらに、前記親機からの要求に応じて「高」または「低」に設定することを特徴とする請求項１に記載のコードレス電話装置。
【請求項３】
全体を制御する親機制御部を有する親機と全体を制御する子機制御部を有する子機とから成り、送信電力を高電力の「高」または低電力の「低」に制御可能な前記子機と前記親機との間で無線通信を行うコードレス電話装置における子機パワー制御方法であって、
親機制御ステップと、子機制御ステップとを有し、
前記親機制御ステップは、子機パワー情報が「高」か「低」かを判定する子機判定ステップと、親機におけるＲＳＳＩ値と第１または第２の所定値とを比較するＲＳＳＩ判定ステップと、ＣＲＣに基づくエラーレートであるＣＲＣエラーレートと所定エラーレートとを比較するＣＲＣ判定ステップと、子機への要求や通知を行う通知ステップとを有し、前記通知ステップにおいては、子機パワー情報が「高」であると判定され、前記ＣＲＣエラーレートが所定エラーレート以下であると判定され、かつ前記ＲＳＳＩ値が前記第１の所定値以上であると判定されたときにはパワーを「低」とするように前記子機へ要求し、また、子機パワー情報が「低」であると判定され、前記ＲＳＳＩ値が前記第２の所定値以下であると判定されたときにはパワーを「高」とするように前記子機へ要求し、さらに、子機パワー情報が「低」であると判定され、前記ＲＳＳＩ値が前記第２の所定値よりも大きいと判定され、かつ前記ＣＲＣエラーレートが所定エラーレートよりも大きいと判定されたときにはパワーを「高」とするように前記子機へ要求し、
前記子機制御ステップは、前記親機からの要求に基づいて又は自らの判定に基づいて子機パワーを設定することを特徴とする子機パワー制御方法。
【請求項４】
前記子機制御ステップは、子機パワー情報を判定するパワー情報判定ステップと、前記子機におけるＲＳＳＩ値と第１または第２の所定値とを比較するＲＳＳＩ判定ステップと、親機からのデータを判定する親機判定ステップと、子機パワーを設定する設定ステップとを有し、前記設定ステップは、子機パワー情報が「低」であると判定され、かつ前記子機におけるＲＳＳＩ値が前記第２の所定値以下と判定されたときには子機パワーを「高」に設定し、また、子機パワー情報が「高」であると判定され、かつ前記子機におけるＲＳＳＩ値が前記第１の所定値よりも大きいと判定されたときには子機パワーを「低」に設定し、さらに、前記親機からの要求に応じて「高」または「低」に設定することを特徴とする請求項３に記載の子機パワー制御方法。
【発明の詳細な説明】
【０００１】
【発明の属する技術分野】
本発明は、親機と子機との間で無線通信を行うと共に子機パワーを制御するコードレス電話装置およびそのコードレス電話装置における子機パワー制御方法に関するものである。
【０００２】
【従来の技術】
近年、コードレス電話装置の普及に伴い、コードレス電話装置を構成する子機におけるバッテリーの消費時間が重要となりつつある。すなわち、コードレス電話装置を構成する親機は商用電源に接続されて使用されるので問題ないが、子機の場合は搭載するバッテリーを電源として動作するものであり、子機の消費電力が大きければ、バッテリー寿命は短くなり、頻繁に交換しなければならず、ランニングコストが増加すると共に、使用不能の可能性が高くなる。
【０００３】
このバッテリーの短寿命化を防止するために、子機における送信電力（子機パワー）を制御する方法が提案された。この子機パワー制御方法は、子機におけるＲＳＳＩ（Ｒｅｃｅｉｖｅｄ  Ｓｉｇｎａｌ  Ｓｔｒｅｎｇｔｈ  Ｉｎｄｉｃａｔｏｒ）値に基づいて子機パワーを制御するものであり、ＲＳＳＩ値が高ければ、親機と子機との距離は短く、子機パワーを「低電力」（以下、「低」と記載する）としても問題ないと推定されるので、この場合には子機パワーを「低」に設定してバッテリーの消費電力を低下させ、バッテリーの長寿命化を図る。
【０００４】
【発明が解決しようとする課題】
しかしながら、上記従来のコードレス電話装置における子機パワー制御方法では、ＲＳＳＩ値のみを判定対象としており、この場合にはＲＳＳＩ値は高いがＣＲＣに基づくエラーレート（以下、「ＣＲＣエラーレート」と記載する）も高いという状況に対応することができず、エラーレートの高い状態で親機と子機とが交信するという問題点を有していた。
【０００５】
このコードレス電話装置および子機パワー制御方法では、ＲＳＳＩ値およびＣＲＣエラーレートの両方に基づいて子機パワーを制御することが要求されている。
【０００６】
本発明は、この要求を満たすため、ＲＳＳＩ値およびＣＲＣエラーレートの両方に基づいて子機パワーを制御することができるコードレス電話装置、および、ＲＳＳＩ値およびＣＲＣエラーレートの両方に基づいて子機パワーを制御するための子機パワー制御方法を提供することを目的とする。
【０００７】
【課題を解決するための手段】
この課題を解決するために本発明のコードレス電話装置は、全体を制御する親機制御部を有する親機と全体を制御する子機制御部を有する子機とから成り、送信電力を高電力の「高」または低電力の「低」に制御可能な子機と親機との間で無線通信を行うコードレス電話装置であって、親機制御部は、子機パワー情報が「高」か「低」かを判定する子機判定手段と、親機におけるＲＳＳＩ値と第１または第２の所定値とを比較するＲＳＳＩ判定手段と、ＣＲＣに基づくエラーレートであるＣＲＣエラーレートと所定エラーレートとを比較するＣＲＣ判定手段と、子機への要求や通知を行う通知手段とを有し、通知手段は、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御部は、親機からの要求に基づいて又は自らの判定に基づいて子機パワーを設定する構成を備えている。
【０００８】
これにより、ＲＳＳＩ値およびＣＲＣエラーレートの両方に基づいて子機パワーを制御することができるコードレス電話装置が得られる。
【０００９】
上記課題を解決するために本発明の子機パワー制御方法は、全体を制御する親機制御部を有する親機と全体を制御する子機制御部を有する子機とから成り、送信電力を高電力の「高」または低電力の「低」に制御可能な子機と親機との間で無線通信を行うコードレス電話装置における子機パワー制御方法であって、親機制御ステップと、子機制御ステップとを有し、親機制御ステップは、子機パワー情報が「高」か「低」かを判定する子機判定ステップと、親機におけるＲＳＳＩ値と第１または第２の所定値とを比較するＲＳＳＩ判定ステップと、ＣＲＣに基づくエラーレートであるＣＲＣエラーレートと所定エラーレートとを比較するＣＲＣ判定ステップと、子機への要求や通知を行う通知ステップとを有し、前記通知ステップにおいては、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御ステップは、親機からの要求に基づいて又は自らの判定に基づいて子機パワーを設定する構成を備えている。
【００１０】
これにより、ＲＳＳＩ値およびＣＲＣエラーレートの両方に基づいて子機パワーを制御するための子機パワー制御方法が得られる。
【００１１】
【発明の実施の形態】
本発明の請求項１に記載のコードレス電話装置は、全体を制御する親機制御部を有する親機と全体を制御する子機制御部を有する子機とから成り、送信電力を高電力の「高」または低電力の「低」に制御可能な子機と親機との間で無線通信を行うコードレス電話装置であって、親機制御部は、子機パワー情報が「高」か「低」かを判定する子機判定手段と、親機におけるＲＳＳＩ値と第１または第２の所定値とを比較するＲＳＳＩ判定手段と、ＣＲＣに基づくエラーレートであるＣＲＣエラーレートと所定エラーレートとを比較するＣＲＣ判定手段と、子機への要求や通知を行う通知手段とを有し、通知手段は、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御部は、親機からの要求に基づいて又は自らの判定に基づいて子機パワーを設定することとしたものである。
【００１２】
この構成により、子機と親機との距離が十分に短く子機パワーが「低」でも十分であると判定されたときには子機パワーを「低」に設定することができるので、子機の送信電力を低電力にして搭載バッテリーの長寿命化を図ることができ、また、子機と親機との距離が近くてもＣＲＣエラーレートが高いときには、子機パワーを「高」としてエラーレートを低減することができるので、誤情報交信を防止することができるという作用を有する。
【００１３】
請求項２に記載のコードレス電話装置は、請求項１に記載のコードレス電話装置において、子機制御部は、子機パワー情報を判定するパワー情報判定手段と、子機におけるＲＳＳＩ値と第１または第２の所定値とを比較するＲＳＳＩ判定手段と、親機からのデータを判定する親機判定手段と、子機パワーを設定する設定手段とを有し、設定手段は、子機パワー情報が「低」であると判定され、かつ子機におけるＲＳＳＩ値が第２の所定値以下と判定されたときには子機パワーを「高」に設定し、また、子機パワー情報が「高」であると判定され、かつ子機におけるＲＳＳＩ値が第１の所定値よりも大きいと判定されたときには子機パワーを「低」に設定し、さらに、親機からの要求に応じて「高」または「低」に設定することとしたものである。
【００１４】
この構成により、子機自らがＲＳＳＩ値に基づいて子機パワーを制御することができ、ＲＳＳＩ値が高いときは子機パワーを「低」に設定することができるので、子機パワーの消費電力を低下させてバッテリーの長寿命化を図ることができ、また、親機はＲＳＳＩ値およびＣＲＣエラーレートに基づいて子機パワーを「高」または「低」に制御することができるので、送信電力が不要に高いときは子機パワーの消費電力を低下させてバッテリーの長寿命化を図ることができると共にＣＲＣエラーレートの高いときには子機パワーを「高」としてエラーレートを低減することができるという作用を有する。
【００１５】
請求項３に記載の子機パワー制御方法は、全体を制御する親機制御部を有する親機と全体を制御する子機制御部を有する子機とから成り、送信電力を高電力の「高」または低電力の「低」に制御可能な子機と親機との間で無線通信を行うコードレス電話装置における子機パワー制御方法であって、親機制御ステップと、子機制御ステップとを有し、親機制御ステップは、子機パワー情報が「高」か「低」かを判定する子機判定ステップと、親機におけるＲＳＳＩ値と第１または第２の所定値とを比較するＲＳＳＩ判定ステップと、ＣＲＣに基づくエラーレートであるＣＲＣエラーレートと所定エラーレートとを比較するＣＲＣ判定ステップと、子機への要求や通知を行う通知ステップとを有し、前記通知ステップにおいては、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御ステップは、親機からの要求に基づいて又は自らの判定に基づいて子機パワーを設定することとしたものである。
【００１６】
この構成により、子機と親機との距離が十分に短く子機パワーが「低」でも十分であると判定されたときには子機パワーを「低」に設定することができるので、子機の送信電力を低電力にして搭載バッテリーの長寿命化を図ることができ、また、子機と親機との距離が近くてもＣＲＣエラーレートが高いときには、子機パワーを「高」としてエラーレートを低減することができるので、誤情報交信を防止することができるという作用を有する。
【００１７】
請求項４に記載の子機パワー制御方法は、請求項３に記載の子機パワー制御方法において、子機制御ステップは、子機パワー情報を判定するパワー情報判定ステップと、子機におけるＲＳＳＩ値と第１または第２の所定値とを比較するＲＳＳＩ判定ステップと、親機からのデータを判定する親機判定ステップと、子機パワーを設定する設定ステップとを有し、設定ステップは、子機パワー情報が「低」であると判定され、かつ子機におけるＲＳＳＩ値が第２の所定値以下と判定されたときには子機パワーを「高」に設定し、また、子機パワー情報が「高」であると判定され、かつ子機におけるＲＳＳＩ値が第１の所定値よりも大きいと判定されたときには子機パワーを「低」に設定し、さらに、親機からの要求に応じて「高」または「低」に設定することとしたものである。
【００１８】
この構成により、子機自らがＲＳＳＩ値に基づいて子機パワーを制御することができ、ＲＳＳＩ値が高いときは子機パワーを「低」に設定することができるので、子機パワーの消費電力を低下させてバッテリーの長寿命化を図ることができ、また、親機はＲＳＳＩ値およびＣＲＣエラーレートに基づいて子機パワーを「高」または「低」に制御することができるので、送信電力が不要に高いときは子機パワーの消費電力を低下させてバッテリーの長寿命化を図ることができると共にＣＲＣエラーレートの高いときには子機パワーを「高」としてエラーレートを低減することができるという作用を有する。
【００１９】
以下、本発明の実施の形態について、図１〜図５を用いて説明する。
【００２０】
（実施の形態１）
まず、コードレス電話装置の一般的構成について、図１、図２を用いて説明する。図１は一般的な親機を示すブロック図であり、図２は一般的な子機を示すブロック図である。
【００２１】
図１において、１００は全体を制御する親機制御部としての主制御部、１０１は公衆回線と動作タイミングを取ることなどを行う回線インタフェース部（回線Ｉ／Ｆ部）、１０２はベルを検出しリンガ音を発生させるリンガ回路、１０３はリンガ音を鳴らすスピーカ、１０４は公衆回線上の相手電話機との通話を行うための通話回路、１０５は通話時に使用するスピーカとマイクロフォン、１０６はデータを表示するＬＣＤ表示器等の表示装置、１０７はボタンの押下等により指示を行う入力装置、１０８は親機記憶部としてのＲＡＭ、１０９はプログラム等を記憶するＲＯＭ、１１０は無線信号を送受信する無線回路、１１１はアンテナである。
【００２２】
また、図２において、２００は全体を制御する子機制御部としての主制御部、２０１はアンテナ、２０２は無線信号を送受信する無線回路、２０３は通話時に使用するスピーカとマイクロフォン、２０４は公衆回線上の相手電話機との通話を行うための通話回路、２０５はリンガ音を発生するリンガ回路、２０６はリンガ音を鳴らすスピーカ、２０７はデータを表示するＬＣＤ表示器等の表示装置、２０８はボタンの押下等により指示を行う入力装置、２０９は子機記憶部としてのＲＡＭ、２１０はプログラム等を記憶するＲＯＭである。
【００２３】
図３（ａ）は親機の主制御部（子機制御部）１００における機能実現手段を示す機能ブロック図であり、図３（ｂ）は子機の主制御部（親機制御部）２００における機能実現手段を示す機能ブロック図である。
【００２４】
図３（ａ）において、１は子機パワー情報を高電力（以下、「高」と記載する）または「低」に設定する設定手段、２は子機パワー情報が「高」か「低」かを判定する子機判定手段、３はＣＲＣに基づくエラーレートであるＣＲＣエラーレートＣＲＣＥと所定エラーレートＥとを比較するＣＲＣ判定手段、４は親機におけるＲＳＳＩ値と第１の所定値Ｘまたは第２の所定値Ｙとを比較するＲＳＳＩ判定手段、５は子機への要求や通知を行う通知手段である。
【００２５】
また、図３（ｂ）において、６は子機パワーを設定する設定手段、７は親機への通知を行う通知手段、８は親機からのデータを判定する親機判定手段、９は子機パワーを「高」または「低」に制御する際にＲＳＳＩ値を制御のための有効なデータとして採用するか否かを判定するＲＳＳＩ有効判定手段、１０は子機パワー情報を判定するパワー情報判定手段、１１は子機におけるＲＳＳＩ値と第１の所定値Ｘまたは第２の所定値Ｙとを比較するＲＳＳＩ判定手段である。
【００２６】
このように構成されたコードレス電話装置の親機と子機について、その動作を図４、図５を用いて説明する。図４は親機における子機パワー制御動作を示すフローチャートであり、図５は子機における子機パワー制御動作を示すフローチャートである。
【００２７】
まず親機における子機パワー制御動作について説明する。
【００２８】
図４において、まず通話が開始されると、設定手段１は、子機パワー情報の初期値として「高」（「Ｈ」）を設定する（Ｓ１）。次に、子機判定手段２は、子機パワー情報が「高」か「低」（「Ｌ」）かを判定する（Ｓ２）。最初は子機パワー情報は「高」であるので、ステップＳ３へ移行する。ステップＳ３で、ＣＲＣ判定手段３は、ＣＲＣエラーレートＣＲＣＥを所定エラーレートＥとを比較し、ＣＲＣＥ≦ＥかＣＲＣＥ＞Ｅかを判定する。ＣＲＣＥ＞Ｅの場合は、子機パワー情報が「高」であるにもかかわらずエラーレートＣＲＣＥが高いことを意味しているので、子機パワー「高」の状態を維持してステップＳ９へ移行する。ステップＳ３でＣＲＣＥ≦Ｅと判定されたときは、次に、ＲＳＳＩ判定手段４は、ＲＳＳＩ値と第１の所定値Ｘ（例えば−５０ｄＢ）とを比較し、ＲＳＳＩ≦Ｘの場合には受信レベルが低いので、子機パワー「高」の状態を維持してステップＳ９へ移行する。ＲＳＳＩ＞Ｘの場合には、通知手段５は、ＲＳＳＩ値が十分に高いので、子機パワーを「低」に変更するように無線回路１１０、アンテナ１１１を介して子機へ要求する。
【００２９】
次に、ステップＳ２で子機パワー情報が「低」であると判定したときは、ＲＳＳＩ判定手段４は、ＲＳＳＩ値と第２の所定値Ｙ（例えば−６０ｄＢ）とを比較し（Ｓ６）、ＲＳＳＩ≦Ｙの場合には受信レベルが低いので、通知手段５は、子機パワーを「高」に変更するように子機へ要求する（Ｓ８）。ＲＳＳＩ＞Ｙの場合にはＲＳＳＩ値としては第１の所定値Ｘよりも低い第２の所定値を越えただけであるので、次に、ＣＲＣ判定手段３は、ＣＲＣエラーレートＣＲＣＥと所定エラーレートＥとを比較する（Ｓ７）。ＣＲＣＥ＞Ｅの場合には、通知手段５は、エラーレートＣＲＣＥが高いので、子機パワーを「高」に変更するように子機へ要求する（Ｓ８）。ＣＲＣＥ≦Ｅの場合は、エラーレートＣＲＣＥが低いので、「低」の状態を維持してステップＳ９に移行する。
【００３０】
ステップＳ９においては、子機判定手段２は、子機からの子機パワー情報が「高」か「低」かを判定する。何も示されていないときはステップＳ２に戻り、「低」であるときは設定手段１は子機パワー情報を「低」に設定し（Ｓ１０）、通知手段５は子機へ肯定応答（ＡＣＫ）を通知する（Ｓ１１）。また、「高」であるときは設定手段１は子機パワー情報を「高」に設定し（Ｓ１２）、通知手段５は子機へ肯定応答（ＡＣＫ）を通知する（Ｓ１１）。
【００３１】
次に、子機における子機パワー制御動作を図５を用いて説明する。
【００３２】
図５において、まず通話が開始されると、設定手段６は、子機パワーを「高」に設定し（Ｓ２１）、通知手段７は子機パワーが「高」であることを無線回路２０２、アンテナ２０１を介して親機へ通知する（Ｓ２２）。親機からのＡＣＫのメッセージがあれば、ステップＳ２４に移行する（Ｓ２３）。ステップ２４において、ＲＳＳＩ有効判定手段９は、ＲＳＳＩ値を子機パワー制御のための有効なデータとして採用するか否かを判定する。これは、例えば有効フラグをＥＥＰＲＯＭ（図示せず）に記憶させ、有効フラグが「１」であれば有効、「０」であれば無効と判定する。ＲＳＳＩが有効な場合には、次に、パワー情報判定手段１０は、子機パワー情報が「高」か「低」かを判定する（Ｓ２５）。「高」であると判定したときは、ＲＳＳＩ判定手段１１は、ＲＳＳＩ値と第１の所定値Ｘとを比較し（Ｓ２６）、ＲＳＳＩ＞Ｘの場合は、受信レベルが高いので、通知手段７が子機パワーが「低」であることを親機へ通知した後（Ｓ２９、Ｓ３０）、設定手段１１は子機パワーの設定を「低」へ変更する（Ｓ３１）。ＲＳＳＩ≦Ｘの場合は「高」を維持したままステップＳ２８に移行する。
【００３３】
ステップＳ２８では、親機判定手段８は、親機からのパワー要求が「高」か「低」かを判定し、要求が無ければステップＳ２４に移行し、「高」の要求があればステップＳ２１に移行する。ステップＳ２１、Ｓ２２、Ｓ２３については上述したので、その説明は省略する。親機からのパワー要求が「低」の場合はステップＳ２９に移行する。ステップＳ２９、Ｓ３０、Ｓ３１についても上述したので、その説明は省略する。
【００３４】
ステップＳ２４でＲＳＳＩが有効でないと判定したときは、ステップＳ２５、Ｓ２６の判定はおこなわず、ステップＳ２８に移行し、親機からのパワー要求について検討する。
【００３５】
またステップＳ２５で子機パワー情報が「低」であると判定されたときは、次に、ＲＳＳＩ判定手段１１は、ＲＳＳＩ値と第２の所定値Ｙとを比較し（Ｓ２７）、ＲＳＳＩ＞Ｙの場合は、受信レベルが高いので、ステップＳ２８に移行し、親機からのパワー要求について検討する。ＲＳＳＩ≦Ｙの場合は、受信レベルが低いので、設定手段６は、子機パワーの設定を「高」に変更する（Ｓ２１）。
【００３６】
以上のように本実施の形態によれば、親機制御部１００は、子機パワー情報が「高」か「低」かを判定する子機判定手段２と、親機におけるＲＳＳＩ値と第１の所定値Ｘまたは第２の所定値Ｙとを比較するＲＳＳＩ判定手段４、ＣＲＣに基づくエラーレートであるＣＲＣエラーレートＣＲＣＥと所定エラーレートＥとを比較するＣＲＣ判定手段３と、子機への要求や通知を行う通知手段５とを有し、通知手段５は、子機パワー情報が「高」であると判定され、ＣＲＣエラーレートＣＲＣＥが所定エラーレートＥ以下であると判定され、かつＲＳＳＩ値が第１の所定値Ｘ以上であると判定されたときにはパワーを「低」とするように子機へ要求し、また、子機パワー情報が「低」であると判定され、ＲＳＳＩ値が第２の所定値Ｙ以下であると判定されたときにはパワーを「高」とするように子機へ要求し、さらに、子機パワー情報が「低」であると判定され、ＲＳＳＩ値が第２の所定値Ｙよりも大きいと判定され、かつＣＲＣエラーレートＣＲＣＥが所定エラーレートＥよりも大きいと判定されたときにはパワーを「高」とするように子機へ要求し、子機制御部２００は、親機からの要求に基づいて又は自らの判定に基づいて子機パワーを設定するようにしたことにより、子機と親機との距離が十分に短く子機パワーが「低」でも十分であると判定されたときには子機パワーを「低」に設定することができるので、子機の送信電力を低電力にして搭載バッテリーの長寿命化を図ることができ、また、子機と親機との距離が近くてもＣＲＣエラーレートが高いときには、子機パワーを「高」としてエラーレートを低減することができるので、誤情報交信を防止することができる。
【００３７】
また、子機制御部２００は、子機パワー情報を判定するパワー情報判定手段１０と、子機におけるＲＳＳＩ値と第１の所定値Ｘまたは第２の所定値Ｙとを比較するＲＳＳＩ判定手段１１と、親機からのデータを判定する親機判定手段８と、子機パワーを設定する設定手段６とを有し、設定手段６は、子機パワー情報が「低」であると判定され、かつ子機におけるＲＳＳＩ値が第２の所定値Ｙ以下と判定されたときには子機パワーを「高」に設定し、また、子機パワー情報が「高」であると判定され、かつ子機におけるＲＳＳＩ値が第１の所定値Ｘよりも大きいと判定されたときには子機パワーを「低」に設定し、さらに、親機からの要求に応じて「高」または「低」に設定するようにしたことにより、子機自らがＲＳＳＩ値に基づいて子機パワーを制御することができ、ＲＳＳＩ値が高いときは子機パワーを「低」に設定することができるので、子機パワーの消費電力を低下させてバッテリーの長寿命化を図ることができ、また、親機はＲＳＳＩ値およびＣＲＣエラーレートＣＲＣＥに基づいて子機パワーを「高」または「低」に制御することができるので、送信電力が不要に高いときは子機パワーの消費電力を低下させてバッテリーの長寿命化を図ることができると共にＣＲＣエラーレートＣＲＣＥの高いときには子機パワーを「高」としてエラーレートを低減することができる。
【００３８】
【発明の効果】
以上説明したように本発明の請求項１に記載のコードレス電話装置によれば、全体を制御する親機制御部を有する親機と全体を制御する子機制御部を有する子機とから成り、送信電力を高電力の「高」または低電力の「低」に制御可能な子機と親機との間で無線通信を行うコードレス電話装置であって、親機制御部は、子機パワー情報が「高」か「低」かを判定する子機判定手段と、親機におけるＲＳＳＩ値と第１または第２の所定値とを比較するＲＳＳＩ判定手段と、ＣＲＣに基づくエラーレートであるＣＲＣエラーレートと所定エラーレートとを比較するＣＲＣ判定手段と、子機への要求や通知を行う通知手段とを有し、通知手段は、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御部は、親機からの要求に基づいて又は自らの判定に基づいて子機パワーを設定することにより、子機と親機との距離が十分に短く子機パワーが「低」でも十分であると判定されたときには子機パワーを「低」に設定することができるので、子機の送信電力を低電力にして搭載バッテリーの長寿命化を図ることができ、また、子機と親機との距離が近くてもＣＲＣエラーレートが高いときには、子機パワーを「高」としてエラーレートを低減することができるので、誤情報交信を防止することができるという有利な効果が得られる。
【００３９】
請求項２に記載のコードレス電話装置によれば、請求項１に記載のコードレス電話装置において、子機制御部は、子機パワー情報を判定するパワー情報判定手段と、子機におけるＲＳＳＩ値と第１または第２の所定値とを比較するＲＳＳＩ判定手段と、親機からのデータを判定する親機判定手段と、子機パワーを設定する設定手段とを有し、設定手段は、子機パワー情報が「低」であると判定され、かつ子機におけるＲＳＳＩ値が第２の所定値以下と判定されたときには子機パワーを「高」に設定し、また、子機パワー情報が「高」であると判定され、かつ子機におけるＲＳＳＩ値が第１の所定値よりも大きいと判定されたときには子機パワーを「低」に設定し、さらに、親機からの要求に応じて「高」または「低」に設定することにより、子機自らがＲＳＳＩ値に基づいて子機パワーを制御することができ、ＲＳＳＩ値が高いときは子機パワーを「低」に設定することができるので、子機パワーの消費電力を低下させてバッテリーの長寿命化を図ることができ、また、親機はＲＳＳＩ値およびＣＲＣエラーレートに基づいて子機パワーを「高」または「低」に制御することができるので、送信電力が不要に高いときは子機パワーの消費電力を低下させてバッテリーの長寿命化を図ることができると共にＣＲＣエラーレートの高いときには子機パワーを「高」としてエラーレートを低減することができるという有利な効果が得られる。
【００４０】
請求項３に記載の子機パワー制御方法によれば、全体を制御する親機制御部を有する親機と全体を制御する子機制御部を有する子機とから成り、送信電力を高電力の「高」または低電力の「低」に制御可能な子機と親機との間で無線通信を行うコードレス電話装置における子機パワー制御方法であって、親機制御ステップと、子機制御ステップとを有し、親機制御ステップは、子機パワー情報が「高」か「低」かを判定する子機判定ステップと、親機におけるＲＳＳＩ値と第１または第２の所定値とを比較するＲＳＳＩ判定ステップと、ＣＲＣに基づくエラーレートであるＣＲＣエラーレートと所定エラーレートとを比較するＣＲＣ判定ステップと、子機への要求や通知を行う通知ステップとを有し、前記通知ステップにおいては、子機パワー情報が「高」であると判定され、ＣＲＣエラーレートが所定エラーレート以下であると判定され、かつＲＳＳＩ値が第１の所定値以上であると判定されたときにはパワーを「低」とするように子機へ要求し、また、子機パワー情報が「低」であると判定され、ＲＳＳＩ値が第２の所定値以下であると判定されたときにはパワーを「高」とするように子機へ要求し、さらに、子機パワー情報が「低」であると判定され、ＲＳＳＩ値が第２の所定値よりも大きいと判定され、かつＣＲＣエラーレートが所定エラーレートよりも大きいと判定されたときにはパワーを「高」とするように子機へ要求し、子機制御ステップは、親機からの要求に基づいて又は自らの判定に基づいて子機パワーを設定することにより、子機と親機との距離が十分に短く子機パワーが「低」でも十分であると判定されたときには子機パワーを「低」に設定することができるので、子機の送信電力を低電力にして搭載バッテリーの長寿命化を図ることができ、また、子機と親機との距離が近くてもＣＲＣエラーレートが高いときには、子機パワーを「高」としてエラーレートを低減することができるので、誤情報交信を防止することができるという有利な効果が得られる。
【００４１】
請求項４に記載の子機パワー制御方法によれば、請求項３に記載の子機パワー制御方法において、子機制御ステップは、子機パワー情報を判定するパワー情報判定ステップと、子機におけるＲＳＳＩ値と第１または第２の所定値とを比較するＲＳＳＩ判定ステップと、親機からのデータを判定する親機判定ステップと、子機パワーを設定する設定ステップとを有し、設定ステップは、子機パワー情報が「低」であると判定され、かつ子機におけるＲＳＳＩ値が第２の所定値以下と判定されたときには子機パワーを「高」に設定し、また、子機パワー情報が「高」であると判定され、かつ子機におけるＲＳＳＩ値が第１の所定値よりも大きいと判定されたときには子機パワーを「低」に設定し、さらに、親機からの要求に応じて「高」または「低」に設定することにより、子機自らがＲＳＳＩ値に基づいて子機パワーを制御することができ、ＲＳＳＩ値が高いときは子機パワーを「低」に設定することができるので、子機パワーの消費電力を低下させてバッテリーの長寿命化を図ることができ、また、親機はＲＳＳＩ値およびＣＲＣエラーレートに基づいて子機パワーを「高」または「低」に制御することができるので、送信電力が不要に高いときは子機パワーの消費電力を低下させてバッテリーの長寿命化を図ることができると共にＣＲＣエラーレートの高いときには子機パワーを「高」としてエラーレートを低減することができるという有利な効果が得られる。
【図面の簡単な説明】
【図１】一般的な親機を示すブロック図
【図２】一般的な子機を示すブロック図
【図３】（ａ）親機の主制御部における機能実現手段を示す機能ブロック図
（ｂ）子機の主制御部における機能実現手段を示す機能ブロック図
【図４】親機における子機パワー制御動作を示すフローチャート
【図５】子機における子機パワー制御動作を示すフローチャート
【符号の説明】
１、６  設定手段
２  子機判定手段
３  ＣＲＣ判定手段
４、１１  ＲＳＳＩ判定手段
５、７  通知手段
８  親機判定手段
９  ＲＳＳＩ有効判定手段
１０  パワー情報判定手段
１００  主制御部（親機制御部）
１０１  回線インタフェース部（回線Ｉ／Ｆ部）
１０２、２０５  リンガ回路
１０３、２０６  スピーカ
１０４、２０４  通話回路
１０５、２０３  スピーカとマイクロフォン
１０６、２０７  表示装置
１０７、２０８  入力装置
１０８、２０９  ＲＡＭ
１０９、２１０  ＲＯＭ
１１０、２０２  無線回路
１１１、２０１  アンテナ
２００  主制御部（子機制御部）
【図１】
0003965863.tif 000002
【図２】
0003965863.tif 000003
【図３】
0003965863.tif 000004
【図４】
0003965863.tif 000005
【図５】
0003965863.tif 000006